(57)【特許請求の範囲】
【請求項１】
身体の前面を覆う前面部と背面を覆う背面部とが両肩部及び両脇下部で連結されている身頃部と、
前記前面部の内側に配置され、胸部を覆う胸当部と該胸当部の上部から両肩部にかけて延在する一対のストラップ部とを有する内布とを備え、
前記胸当部と前記一対のストラップ部とは一枚の生地から構成され、
前記内布は、両肩部及び両脇下部において前記身頃部と接合され、前記胸当部の上端縁部とストラップ部の側端縁部とで構成される襟ぐりに沿った端縁部は前記身頃部と接合されておらず、前記端縁部は端始末されていない切断端であるインナーウエア。
【請求項２】
前記内布は、両肩部及び両脇下部以外においては、前記身頃部と接合されていない請求項１に記載のインナーウエア。
【請求項３】
前記身頃部の両肩部の間に形成される襟ぐり部の端縁、及び、肩部と脇下部との間に形成される袖ぐり部の端縁は、端始末されていない切断端である請求項１又は２に記載のインナーウエア。
【請求項４】
前記前面部と前記内布との間に配置され且つ左右の乳頭部を覆うパットを備えている請求項１乃至３のいずれか一項に記載のインナーウエア。
【発明の詳細な説明】
【技術分野】
【０００１】
本発明は、インナーウエア、特に、女性用のインナーウエアに関する。
【背景技術】
【０００２】
女性がブラジャーを着用した際にブラジャーの周縁のラインがアウターウエアの外側から見える場合がある。かかるラインは外観を損なうため好ましく思わない女性は多い。特に、ブラジャーの着用を開始する年頃の女児は、ブラジャーを着用していることを他人に知られたくない傾向が強く、ブラジャーの周縁のラインがアウターウエアの外側から見えることがブラジャーの着用を躊躇する一因になることがある。
ブラジャーを着用せずに、胸部を十分に覆うことができるインナーウエアとしては、例えば、特許文献１（登録実用新案公報第３１８６３２３号）及び特許文献２（登録実用新案公報第３１８８５１８号）に記載のインナーウエアが挙げられる。
【０００３】
特許文献１及び２には、立体的に形成されたブラジャー用のカップをキャミソールやタンクトップ等の上衣類の前面部（胸部側）の内面側に取り付けたインナーウエアが記載されている。
かかるインナーウエアは背面側には上衣類しか存在しないため、アウターウエアの外側からは上衣類の着用ライン、すなわち、キャミソールやタンクトップの周縁のラインしか見えず、下着のラインとしては認識されにくい。
【０００４】
しかしながら、胸部側においては立体的な形状のカップが存在するため、該カップのラインがアウターウエアの外側から見えてしまうという問題がある。
また、カップは乳房部のみを覆うものであるため上衣類の動きにつられてカップが位置ずれしやすく胸部の形状にフィットさせた状態で胸部を覆うことが困難である。特に、運動時など激しく動く場合や、女児のように乳房の発達が不十分な場合等には、十分に胸部を覆うことが困難である。
【先行技術文献】
【特許文献】
【０００５】
【特許文献１】登録実用新案公報第３１８６３２３号
【特許文献２】登録実用新案公報第３１８８５１８号
【発明の概要】
【発明が解決しようとする課題】
【０００６】
そこで、上記問題点に鑑み、本発明は、胸部を十分に覆うことができ、アウターウエアの外側から下着のラインとして認識されにくいインナーウエアを提供することを課題とする。
【課題を解決するための手段】
【０００７】
本発明にかかるインナーウエアは、
身体の前面を覆う前面部と背面を覆う背面部とが両肩部及び両脇下部で連結されている身頃部と、
前記前面部の内側に配置され、胸部を覆う胸当部と該胸当部の上部から両肩部にかけて延在する一対のストラップ部とを有する内布とを備え、
前記胸当部と前記一対のストラップ部とは一枚の生地から構成され、
前記内布は、両肩部及び両脇下部において前記身頃部と接合され、前記胸当部の上端縁部とストラップ部の側端縁部とで構成される襟ぐりに沿った端縁部は前記身頃部と接合されておらず、前記端縁部は端始末されていない切断端である。
【０００８】
本発明のインナーウエアは、身頃部の前面部の内側に配置され、胸部を覆う胸当部と該胸当部の上部から両肩部にかけて延在する一対のストラップ部とを有する内布とを備え、前記胸当部と前記一対のストラップ部とは一枚の生地から構成され、前記内布は、両肩部及び両脇下部において前記身頃部と接合され、前記胸当部の上端縁部とストラップ部の側端縁部とで構成される襟ぐりに沿った端縁部は前記身頃部と接合されていないことにより、ブラジャーを着用しなくても胸部を十分に覆うことができる。すなわち、前記内布は、両肩部及び両脇下部において前記身頃部と接合により固定され、また、胸部から肩部にかけての比較的広い面積を連続した一枚の生地から構成される内布で覆うため、内布が胸部の位置からずれることを抑制しつつ、胸部を十分に覆うことができる。
また、前記内布は、前記胸当部の上端縁とストラップ部の側端縁とで構成される襟ぐりに沿った端縁部が前記身頃部と接合されておらず、前記端縁部は端始末されていない切断端であることにより、前記端縁部のラインが外側から認識されにくい。すなわち、前記端縁部に縫い目や接着部が存在せず、襟ぐりに沿った端縁部のラインすなわち、胸部側に配置される内布のラインが身頃部の外側から見えにくい。
よって、胸部を十分に覆うことができ、アウターウエアの外側から下着のラインとして認識されにくい。
【０００９】
本発明にかかるインナーウエアにおいて、前記内布は、両肩部及び両脇下部以外においては、前記身頃部と接合されていなくてもよい。
【００１０】
前記内布は、両肩部及び両脇下部以外においては、前記身頃部と接合されていない場合には、内布が両肩部及び両脇下部以外では身頃部と遊離した状態である。よって、身頃部の動きにつられて内布が動いて位置ずれすることを抑制でき、内布が体にフィットし、胸部をより十分に覆うことができる。
【００１１】
本発明にかかるインナーウエアにおいて、前記身頃部の両肩部の間に形成される襟ぐり部の端縁、及び、肩部と脇下部との間に形成される袖ぐり部の端縁は、端始末されていない切断端であってもよい。
【００１２】
前記身頃部の両肩部の間に形成される襟ぐり部の端縁、及び、肩部と脇下部との間に形成される袖ぐり部の端縁は、端始末されていない切断端である場合には、身頃部のラインが着用時にアウターウエアの外側から見えにくい。よって、アウターウエアの外側から下着のラインとして、より認識されにくい。
【００１３】
本発明にかかるインナーウエアにおいて、前記前面部と前記内布との間に配置され且つ左右の乳頭部を覆うパットを備えてもよい。
【００１４】
前記前面部と前記内布との間に配置され且つ左右の乳頭部を覆うパットを備えていることにより、左右の乳頭部が外側から透けることを防止しつつ、胸部をより十分に覆うことができる。
【発明の効果】
【００１５】
本発明によれば、胸部を十分に覆うことができ、アウターウエアの外側から下着のラインとして認識されにくいインナーウエアを提供することができる。
【図面の簡単な説明】
【００１６】
【図１】一実施形態のインナーウエア（ハーフトップ）を示す正面図。
【図２】一実施形態のインナーウエアを示す背面図。
【図３】一実施形態のインナーウエアの裏返した状態を示す正面図。
【図４】他の実施形態のインナーウエア（パットを備えたハーフトップ）の裏返した状態を示す正面図。
【図５】他の実施形態のインナーウエアを示す正面図。
【図６】他の実施形態のインナーウエアを示す背面図。
【図７】他の実施形態のインナーウエアを示す平面図。
【図８】他の実施形態のインナーウエアを示す底面図。
【図９】他の実施形態のインナーウエアを示す右側面図。
【図１０】図５のＩ−Ｉ線端面拡大図。
【図１１】図９のＩＩ−ＩＩ線端面拡大図。
【図１２】他の実施形態のインナーウエア（Ｔシャツ）を示す正面図。
【図１３】他の実施形態のインナーウエアを示す背面図。
【図１４】他の実施形態のインナーウエアを示す平面図。
【図１５】他の実施形態のインナーウエアを示す底面図。
【図１６】他の実施形態のインナーウエアを示す右側面図。
【図１７】他の実施形態のインナーウエアの裏返した状態を示す正面図。
【図１８】図12のＩＩＩ−ＩＩＩ線端面拡大図。
【図１９】図16のＩＶ−ＩＶ線端面拡大図。
【図２０】他の実施形態のインナーウエア（タンクトップ）を示す正面図。
【図２１】他の実施形態のインナーウエアを示す背面図。
【図２２】他の実施形態のインナーウエアを示す平面図。
【図２３】他の実施形態のインナーウエアを示す底面図。
【図２４】他の実施形態のインナーウエアを示す右側面図。
【図２５】一実施形態のインナーウエアの裏返した状態を示す正面図。
【図２６】図20のＶ−Ｖ線端面拡大図。
【図２７】図24のＶＩ−ＶＩ線端面拡大図。（タンクトップ）
【発明を実施するための形態】
【００１７】
以下、図面に基づいて本発明に係るインナーウエアの実施形態について説明する。尚、以下の図面において同一または相当する部分には同一の参照符号を付し、その説明は繰り返さない。
【００１８】
（実施形態１）
本実施形態のインナーウエアは、身体の前面を覆う前面部と背面を覆う背面部とが両肩部及び両脇下部で連結されている身頃部と、前記前面部の内側に配置され、胸部を覆う胸当部と該胸当部の上部から両肩部にかけて延在する一対のストラップ部とを有する内布とを備え、前記胸当部と前記一対のストラップ部とは一枚の生地から構成され、前記内布は、両肩部及び両脇下部において前記身頃部と接合され、前記胸当部の上端縁部とストラップ部の側端縁部とで構成される襟ぐりに沿った端縁部は前記身頃部と接合されておらず、前記端縁部は端始末されていない切断端であるインナーウエアである。
【００１９】
本実施形態のインナーウエア１０については図１乃至３を参照して具体的に説明する。
インナーウエア１０は、身体の前面を覆う前面部１１と背面を覆う背面部１２とが両肩部Ａ、Ａ及び両脇下部Ｂ、Ｂで連結されている身頃部１と、前記前面部１１の内側に配置され且つ胸部を覆う内布２とを備えている。
【００２０】
前記前面部１１は、着用時に上半身の前面を覆うべく構成されている。着用時に着用者の肩に配置される両肩部Ａ、Ａの内側端部、すなわち着用時に首側に配置される端部、の間には着用時に前面側の襟ぐりを構成するようにＵ字状にカットされた端縁部１３ａが形成されている。前面部１１の両肩部Ａ、Ａの外側端部と、着用時に脇下に配置される脇下部Ｂの上端部との間には、前面側の袖ぐりを構成するように湾曲形状にカットされた端縁部１４ａが形成されている。
【００２１】
前記背面部１２は、着用時に上半身の背面を覆うべく構成されている。前記前面部１１と同様に、着用者の肩に配置される両肩部Ａ、Ａの内側端部の間には着用時に背面側の襟ぐりを構成するカットされた端縁部１３ｂが形成され、背面部１２の両肩部Ａ、Ａの外側端部と、着用時に脇下に配置される両脇下部Ｂ、Ｂの上端部との間には、背面側の袖ぐりを構成するように湾曲形状にカットされた端縁部１４ｂが形成されている。
【００２２】
前記前面部１１と背面部１２とは、両肩部Ａ、Ａ及び両脇下部Ｂ、Ｂで連結されている。具体的には、前面部１１と背面部１２とが両肩部Ａ、Ａ及び両脇下部Ｂ、Ｂに当たる周縁部が一致するように重ね合わされて接着、融着、縫着等の任意の手段で接合されることによって連結されている。
尚、前面部１１と背面部１２とは、両肩部Ａ、Ａあるいは両脇下部Ｂ、Ｂのうち、いずれか一箇所、あるいは二箇所において連結している一枚の生地から構成されていてもよい。この場合は、接着、融着のラインあるいは縫い目など、着用時に違和感を感じやすい部分が少なくなるため、着用感がより向上する。
【００２３】
前記前面部１１と背面部１２とが両肩部Ａ、Ａで連結されることで、前面部１１と背面部１２の両肩部Ａ、Ａの内側端部の間に、端縁部１３ａ、１３ｂによって襟ぐり部１３が構成されている。前記前面部１１と背面部１２とが両脇下部Ｂ、Ｂで連結されることで、前面部１１と背面部１２の肩部Ａの外側端部と、着用時に脇下に配置される脇下部Ｂの上端部との間には、前記端縁部１４ａ、１４ｂによって袖ぐり部１４が形成されている
また、前記前面部１１と背面部１２とが両脇下部Ｂ、Ｂで連結されることで、前面部１１及び背面部１２の下端縁を開口端縁とする下端部１５が形成される。
【００２４】
本実施形態の身頃部１の下端部１５は、着用時に着用者の胴囲に沿って配置される。本実施形態の身頃部１の下端部１５の端縁は、前面部１１においては着用時に体の幅方向となる方向（以下、単に幅方向ともいう）に平行な直線状に形成されており、背面部１２においては、図２に示すように、幅方向の中央部において上方に凸となるような円弧形状に形成されている。
【００２５】
本実施形態のインナーウエア１０において、身頃部１の襟ぐり部１３、袖ぐり部１４及び下端部１５の各端縁は端始末されていない切断端である。
本実施形態において、切断端とは、生地を切断したままの端縁のことをいう。また、端始末とは、切断端を折り返して縫着したり、テープ等の別布で端部を包んで縫着したりして生地の切断端縁がほつれないようにする処理をいう。
すなわち、端始末されていない切断端とは、前記のような端始末をせずに切断したままの生地の端縁をいう。
【００２６】
身頃部１の襟ぐり部１３、袖ぐり部１４及び下端部１５の各端縁は端始末されていない切断端であるため、各端縁部の厚みは薄くなり、着用時に各端縁のラインがアウターウエアの外側から見えにくくなる。また、各端縁部に折り返し部や、テープ等の別布が存在しないため、生地の伸縮性が阻害されないため着用時に異物感がなく着用感が向上する。
【００２７】
各端縁を切断端として形成する場合には、身頃部１を構成する生地として切断端がほつれにくい生地（きりっぱなし仕様の生地）を採用することが好ましい。
かかるきりっぱなし仕様の生地としては、例えば、熱融着繊維を他の繊維とともに編み込みこみヒートセット加工（熱セット加工）を施した生地等が挙げられる。かかる生地は、身頃部１を所定形状に裁断するだけで、裁断後にフチ縫い等の端部処理をしなくても、ほつれが生じることはない。
具体的には、ポリウレタン弾性繊維等の比較的低融点の熱融着性繊維と、該熱融着性繊維よりも高融点の他の繊維、例えば、綿、ポリエステル、ナイロン、ポリエチレン、キュプラ等とを含み、予め、熱融着性繊維の融点以上の温度であって且つ他の繊維の融点以下の温度でヒートセット加工（熱セット加工）されて、解れ止め処理された生地等が挙げられる。
熱融着性繊維と他の繊維との好ましい組み合わせを有する生地としては、熱融着性繊維としてポリウレタン、他の繊維として綿やレーヨンなどの保水性の高い繊維等を含む緯編地などが挙げられる。
より具体的には、熱融着性乃至熱溶着性ポリウレタンのベア繊維糸と他の糸とのプレーティング編みをいわゆるベアフライスとして編成後、熱セットされた生地であって、前記ベア糸（好ましくは２０〜５０デシテックス）と他の糸としての綿及びレーヨンの混紡糸であるような緯編地等が挙げられる。
また、夏物として接触冷感機能や、吸汗速乾機能を求める場合には、前記熱融着繊維に組み合わせる他の糸としての綿とレーヨンの混紡糸の代わりに、ポリエステル糸またはポリエステルとレーヨンの混紡糸を用いることができる。
【００２８】
本実施形態の身頃部１を構成する生地としては、上述した熱融着性繊維と、前記他の繊維とを含む緯編地からなる生地が、伸縮性、吸水性及び通気性に優れているため特に好ましいが、本実施形態の身頃部１を構成する記事はこれに限定されるものではなく、きりっぱなし仕様の生地であればこれに限定されるものではない。
例えば、以下のような各生地が挙げられる。
（１）編組織が非弾性糸と弾性糸とを同行させた１×１編み組織であって、かつ各編針において非弾性糸と弾性糸のうちの少なくとも１方が閉じ目により編成された伸縮性たて編地等からなる生地（特開２００３−１４７６１８公報参照）。
（２）ニット生地であって、単位ニット生地間に低融点ナイロン糸を分離用糸として挿入編成して、該分離用糸を加熱溶融することで各単位ニット生地を切断するようにした生地（特開平１０−８３６１号公報参照）。
【００２９】
内布２は、前記前面部１１の内側に配置されており、胸部を覆う胸当部２ａと該胸当部の上部から両肩部にかけて延在する一対のストラップ部２ｂとが一枚の生地から構成されている。図３に示すように、前記一対のストラップ部２ｂの上端部Ｃ、Ｃは、身頃部１の前面部１１の両肩部Ａ、Ａと重なるように内布２は形成されている。
また。胸当部２ａの両側部Ｄ、Ｄは、身頃部１の前面部１１の両脇下部Ｂ、Ｂと重なるように内布２は形成されている。
【００３０】
本実施形態においては、内布２の胸当部２ａ及び一対のストラップ部２ｂとは連続した一枚の生地、すなわち、継ぎ合わされていない一枚の生地から構成されている。
継ぎ合わされていない一枚の生地から内布２が構成されていることにより、内布２は平坦な状態であるためアウターウエアの外側から内布２のラインがより見えにくい。
【００３１】
内布２のストラップ部２ｂの上端部Ｃ、Ｃは、身頃部１の前面部１１の両肩部Ａ、Ａと接合されて、胸当部２ａの両側部Ｄ、Ｄは、身頃部１の前面部１１の両脇下部Ｂ、Ｂと接合されている。接合箇所は、身頃部１の両肩部Ａ、Ａ及び両脇下部Ｂ、Ｂの線上において該線の全長にわたって線状に接合されていてもよく、該線上において、点状、間隔を有する線状等のように部分的に接合されていてもよい。
【００３２】
接合方法は特に限定されるものではなく、例えば、接着、あるいは融着による接合や、縫着による接合等が挙げられる。
接着、あるいは融着による接合は、縫着した場合のような縫い目が身頃部１の外側に存在しないため、アウターウエアの外側からよりインナーウエア１０のラインが認識されにくくなるため好ましい。
【００３３】
本実施形態の内布２は、両ストラップ部２ｂの上端部Ｃ、Ｃ及び胸当部２ａの両側部Ｄ、Ｄは以外においては、身頃部１とは接合されていない。つまり、両ストラップ部２ｂの上端部Ｃ、Ｃ及び胸当部２ａの両側部Ｄ、Ｄは以外において、身頃部１と内布２とは離間しており、別々に動くことができる遊離状態である。
具体的に説明すると、図３に示すように、内布２の前記胸当部２ａの中央部の上端縁部２２ａと両ストラップ部２ｂの内側の側端縁部２２ｂとで構成される襟ぐりに沿った端縁部２２は前記身頃部１に接合されておらず離間している。また、前記胸当部２ａの両端部の上端縁部２３ａと両ストラップ部２ｂの外側の側端縁部２３ｂとで構成される袖ぐりに沿った端縁部２３は前記身頃部１に接合されておらず離間している。さらに、内布２の下端部２４は前記身頃部１とは接合されておらず離間した端縁である。
また、内布２の前記各端縁部以外の身頃部１と重ねあわされている面においても、内布２と身頃部１とは接合されていない。
【００３４】
本実施形態の内布２の各端縁、すなわち、襟ぐりに沿った端縁部２２の端縁、袖ぐりに沿った端縁部２３の端縁、及び下端部２４の端縁は、端始末されていない切断端である。
【００３５】
内布２を構成する生地としては、上記身頃部１を構成する生地と同様の切断端がほつれにくい生地（きりっぱなし仕様の生地）を採用することが好ましい。
【００３６】
また、内布２は、伸縮性の高い生地であることが好ましい。内布２が伸縮性の高い生地から構成されることで、着用時に胸部にフィットしやすくなり、運動等によって激しく動いた場合にも胸部を内布２で確実に覆うことがしやすくなる。
【００３７】
内布を構成する生地としては、例えば、熱融着性繊維として、例えば、ポリウレタン弾性繊維等の比較的低融点の熱融着性繊維等と、該熱融着性繊維よりも高融点の、例えば、綿、ポリエステル、ナイロン、ポリエチレン、キュプラ等とを含み、予め、熱融着性繊維の融点以上且つ他の繊維の融点以下の温度でヒートセット加工（熱セット加工）されて解れ止め処理された生地片で構成されることが好ましい。
【００３８】
本実施形態の内布２は、身頃部１の襟ぐり部１３、袖ぐり部１４及び下端部１５から突出しないように構成されている。
すなわち、内布２を身頃部１の前面部１１と重ねて配置した場合に、内布２と前面部１１は両脇下部Ｂ、Ｂにおいては周縁が一致し、その他の部分では前面部１１の周縁の内側に内布２の周縁が収まるように、内布２は構成されている。
【００３９】
本実施形態のインナーウエア１０は着用した場合に、前記身頃部１の下端部１５が胸部の下方のライン（アンダーバストのライン）と臍との間に配置されるように構成されている。
すなわち、本実施形態のインナーウエア１０は、着丈の短いタンクトップ、いわゆるハーフトップとして構成されている。
【００４０】
本実施形態のインナーウエア１０を着用した場合には、胸当部２ａと一対のストラップ部２ｂとが連続した一枚の生地から構成されている内布２によって胸部を覆うことができるため、ブラジャーを着用しなくても胸部を十分に覆うことができる。
前記内布２は、両肩部Ａ、Ａ及び両脇下部Ｂ、Ｂにおいて前記身頃部と固定され、また、胸部から肩部にかけての比較的広い面積を連続した一枚の生地から構成されているため、内布２が胸部の位置からずれにくい。
また、本実施形態において、内布２は、襟ぐりに沿った端縁部２２、袖ぐりに沿った端縁部２３、及び下端部２４が身頃部１と接合されておらず、且つ、各前記端縁部が端始末されていない切断端であることにより、前記各端縁部のラインが外側にひびきにくく、アウターウエアの外側から下着としてのラインが認識されにくい。
特に、胸元に配置される襟ぐりに沿った端縁部２２が、身頃部１と接合されておらず且つ端始末されていない切断端であることによって、前面において目立ちやすい胸元において内布２のラインが見えにくい。
【００４１】
以上のように本実施形態のインナーウエア１０は、ブラジャーを着用しなくても十分に胸部を覆うことができ、且つ、内布２のラインがアウターウエアの外側から見えにくい。従って、例えば、ブラジャーの着用を他人に知られたくないブラジャー着用を開始する前後の年齢の女児が着用するインナーウエアとして適している。
【００４２】
また、本実施形態の内布２は、両肩部Ａ、Ａ及び両脇下部Ｂ、Ｂ以外においては身頃部１に接合されていないため、内布２が身頃部１の動きにつられて動いて位置ずれすることを抑制できる。よって、特に、運動時に着用するインナーウエアとして適している。
【００４３】
さらに、内布２が、両肩部Ａ、Ａ及び両脇下部Ｂ、Ｂ以外において身頃部１に接合されていない場合には、着用時に身体に接触する部分に接合部分が比較的少ない。よって、着用したときに違和感を感じる部分が少なくなり、より着用感が向上する。
【００４４】
また、接着剤による接着あるいは融着よって内布２を身頃部１に接合する場合には、縫着による接合に比べてより接合部分が外側から見えにくいという利点がある。
接着剤による接着あるいは融着よって内布２を身頃部１に接合する方法としては、例えば、内布２と身頃部１との間にフィルム状またはリキッド状のホットメルト接着剤を介在させて、アイロン等の加熱具で内布２と身頃部１とを加熱加圧することでホットメルト接着剤を溶融させ、その後、冷却・固化させることで内布２及び身頃部１の両生地片を接合すること等が挙げられる。
【００４５】
（実施形態２）
本実施形態のインナーウエア１０については図４乃至１１を参照して具体的に説明する。本実施形態のインナーウエア１０は、図４に示すように、基本的には図１乃至図３に示す実施形態１におけるインナーウエア１０と同様であるが、身頃部１の前面部１１と内布２との間に配置され且つ左右の乳頭部を覆うパット３０を備えている点において異なる。
【００４６】
パット３０は、図４乃至１１に示すように、身頃部１の前面部１１と内布２との間に配置され、パット３０の両側部３０ａ、３０ａの端縁が、身頃部１の端縁と両脇下部Ｂ、Ｂの線上で一致するような形状のシート材から構成されている。
パット３０は、幅方向に長く延びる帯状のシート材からなる。パット３０の形状は着用時に両乳房の間に当たる中央部３０ｂで、上下方向においてくびれて幅狭となるような形状である。より具体的には、パット３０の上端縁及び下端縁は、着用時に両乳頭部に当たる位置においてパット３０の上下方向の長さＷ１が最も広くなり、幅方向の中央部３０ｂ、すなわち、着用時に両乳房の間に当たる位置の上下方向の長さＷ２及び両側部３０ａ、３０ａおける上下方向の長さＷ３が、両乳頭部の位置におけるパット３０の上下方向の長さＷ１よりも小さくなるような曲線状に構成されている。
すなわち、上端部が中央部３０ｂで下方に凸となり、下端縁が中央部３０ｂで上方に凸となるような曲線状に構成されている。尚、本実施形態のパット３０の下端縁は上端縁よりもゆるやかな曲線となるように構成されている。
本実施形態のパット３０は、前記中央部３０ｂを通る上下方向に平行な直線Ｌを軸として対称となる形状に形成されている。
【００４７】
本実施形態のパット３０の両乳頭部の位置における上下方向の長さＷ１は、着用時に乳房の上部からアンダーバストの下方を覆うことができる程度の長さである。
本実施形態のパット３０は、両乳頭部の位置における上下方向の長さＷ１＞中央部３０ｂの上下方向の長さＷ２＞両側部３０ａの上下方向の長さＷ３の順に長くなるように構成されている。
【００４８】
本実施形態のパット３０は、内布２の襟ぐりに沿った端縁部２２、袖ぐりに沿った端縁部２３及び下端部２４から突出しないように構成されている。
すなわち、パット３０を内布２と重ねて配置した場合に、パット３０と内布２とは両脇下部Ｂ、Ｂにおいては周縁が一致し、その他の部分では内布２の周縁の内側にパット３０の周縁が収まるように構成されている。
【００４９】
パット３０を構成する材料は、生地、綿、スポンジ、不織布等、適度に厚み及び柔軟性を有する材料が好ましい。適度な厚みを有するとは、乳頭部の形状がアウターウエアの外側から見えないような程度の厚みであることを意味する。
不織布は、適度な厚み及び柔軟性を有し、且つ、縫着、接着、融着等の接合が容易にできることからパットを構成する材料として好ましい。
また、パット３０は、複数のシート材を積層して構成されていてもよい。かかる場合には、適度な厚み及び柔軟性のパットとなるように調整することが容易にできる。
【００５０】
前記パット３０は、身頃部１の前面部１１及び内布２と、両脇下部Ｂ、Ｂにおいて接合されている。接合方法は、上述の身頃部１と内布２との接合と同様に、特に限定されるものではなく、例えば、接着、あるいは融着による接合や、縫着による接合等が挙げられる。
本実施形態のインナーウエア１０において、身頃部１、内布２及びパット３０を接合する場合には、例えば、身頃部１の前面部１１、パット３０、内布２及び身頃部１の背面部１２の順に、脇下部Ｂ、Ｂにおいて一致するように重ね合わせて配置し、４枚を同時に接合することが挙げられる。
その他、前面部１１とパット３０（或いは、パット３０と内布２）をそれぞれ接合しておいてから残りの内布２（又は前面部１１）を接合し、さらに、背面部１２を接合してもよい。
【００５１】
尚、本実施形態のパット３０は中央部３０ｂにおいてくびれ部が構成されるような形状であるが、パット３０の形状はこれに限定されることはなく、例えば、長方形、楕円形など他の任意の形状であってもよい。要は乳頭部及びその周囲を覆うことができるような形状であればよい。
【００５２】
また、パット３０と、身頃部１又は内布２とは脇下部Ｂ、Ｂ以外で接合されていてもよい。例えば、パット３０の周縁部の任意の箇所を身頃部１又は内布２と固定することで、パット３０を確実に身頃部１又は内布２に固定することができる。
【００５３】
本実施形態のインナーウエア１０は、パット３０が備えられているため、着用した場合に確実に左右の乳頭部が外側から透けることを防止しつつ、胸部をより十分に覆うことができる。
【００５４】
尚、上記各実施形態において、内布２は、両肩部Ａ、Ａ及び両脇下部Ｂ、Ｂ以外においては、前記身頃部１と接合されていないが、両肩部Ａ、Ａ及び両脇下部Ｂ、Ｂ以外において内布２と身頃部１とが接合されていてもよい。
【００５５】
上記各実施形態において、インナーウエア１０の形態は、着丈の短い袖のないタンクトップ（ハーフトップ）として構成されたが、インナーウエアの形態としてはこれに限定されるものではない。
例えば、図１２乃至１７に示すような袖を有するＴシャツであってもよく、図２０乃至２７に示すような着丈の長いタンクトップであってもよい。Ｔシャツである場合には、袖の長さは半そで、長袖等特に限定されるものではない。
要は、身体の前面を覆う前面部と背面を覆う背面部とが両肩部及び両脇下部で連結されている身頃部を有するインナーウエアであればどのような形態であってもよい。
【００５６】
本実施形態にかかるインナーウエアは以上のとおりであるが、今回開示された実施形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【符号の説明】
【００５７】
１  身頃部、２  内布、２ａ  胸当部、２ｂ  ストラップ部、１０、２０  インナーウエア、１１  前面部、１２  背面部、１３  襟ぐり部、１４  袖ぐり部、１５  下端部、３０  パット。
【図１】
0006343526.tif 000002
【図２】
0006343526.tif 000003
【図３】
0006343526.tif 000004
【図４】
0006343526.tif 000005
【図５】
0006343526.tif 000006
【図６】
0006343526.tif 000007
【図７】
0006343526.tif 000008
【図８】
0006343526.tif 000009
【図９】
0006343526.tif 000010
【図１０】
0006343526.tif 000011
【図１１】
0006343526.tif 000012
【図１２】
0006343526.tif 000013
【図１３】
0006343526.tif 000014
【図１４】
0006343526.tif 000015
【図１５】
0006343526.tif 000016
【図１６】
0006343526.tif 000017
【図１７】
0006343526.tif 000018
【図１８】
0006343526.tif 000019
【図１９】
0006343526.tif 000020
【図２０】
0006343526.tif 000021
【図２１】
0006343526.tif 000022
【図２２】
0006343526.tif 000023
【図２３】
0006343526.tif 000024
【図２４】
0006343526.tif 000025
【図２５】
0006343526.tif 000026
【図２６】
0006343526.tif 000027
【図２７】
0006343526.tif 000028